(57)【要約】【課題】水質調整設備の小型化と水質調整剤の節減を図ることができる膜分離装置の洗浄方法を提供すること。【解決手段】原水の水質を調整する水質調整手段（水質調整槽）１と、該水質調整手段１によって水質が調整された原水を一次側に供給して二次側から透過水として取り出すとともに濃縮水を一次側から排出する膜分離モジュール４を備えた膜分離装置の洗浄方法であって、前記膜モジュール４の一次側を原水によってフラッシングして該膜モジュール４の分離膜６を洗浄する洗浄方法において、洗浄時には原水を前記水質調整手段（水質調整槽）１をバイパスして前記膜モジュール４の一次側に供給する。又、膜モジュール４の洗浄に供された洗浄廃水を、膜モジュール４の後段に設けられた排水中和手段（排水中和槽）９をバイパスして排水する。【選択図】図１
2007237115.tif 000002
【特許請求の範囲】
【請求項１】
原水の水質を調整する水質調整手段と、該水質調整手段によって水質が調整された原水を一次側に供給して二次側から透過水として取り出すとともに濃縮水を一次側から排出する膜モジュールを備えた膜分離装置の洗浄方法であって、前記膜モジュールの一次側を原水によってフラッシングして該膜モジュールの分離膜を洗浄する洗浄方法において、
洗浄時には原水を前記水質調整手段をバイパスして前記膜モジュールの一次側に供給することを特徴とする膜分離装置の洗浄方法。
【請求項２】
前記膜モジュールの洗浄に供された洗浄廃水を、膜モジュールの後段に設けられた排水中和手段をバイパスして排水することを特徴とする請求項１記載の膜分離装置の洗浄方法。
【請求項３】
前記水質調整手段を前後段に２つ設け、前段の水質調整手段によって水質が調整された原水を後段の水質調整手段をバイパスして前記膜モジュールの一次側に供給することを特徴とする請求項１又は２記載の膜分離装置の洗浄方法。
【請求項４】
原水の水質を調整する水質調整手段と、該水質調整手段から原水を一次側に供給して二次側から透過水として取り出すとともに濃縮水を一次側から排出する膜モジュールと、前記膜モジュールの一次側を原水によってフラッシングして該膜モジュールの分離膜を洗浄する洗浄手段を備えた膜分離装置において、
前記洗浄手段に、洗浄時に原水を前記水質調整手段をバイパスして前記膜モジュールの一次側に供給するバイパスラインを設けたことを特徴とする膜分離装置。
【請求項５】
前記膜モジュールの一次側から排出される濃縮水を中和して貯留する排水中和槽を備え、前記洗浄手段に、前記膜モジュールの洗浄に供された洗浄廃水を前記排水中和槽をバイパスして排水するバイパスラインを設けたことを特徴とする請求項４記載の膜分離装置。
【請求項６】
前記水質調整手段を前後段に２つ設け、前記洗浄手段に、前段の水質調整手段からの原水を洗浄時に後段の水質調整手段をバイパスして前記膜モジュールの一次側に供給するバイパスラインを設けたことを特徴とする請求項４又は５記載の膜分離装置。
【発明の詳細な説明】
【技術分野】
【０００１】
本発明は、膜モジュールの一次側を原水によってフラッシングして該膜モジュールの分離膜を洗浄する洗浄手段を備えた膜分離装置とその洗浄方法に関するものである。
【背景技術】
【０００２】
分離膜を内包する膜モジュールによって原水を透過水と濃縮水とに分離する膜分離装置においては、原水中に含まれる懸濁（ＳＳ）成分によって分離膜が汚染され、その分離性能が低下したり、圧力損失の増加を招くため、分離膜を定期的に又は随時に洗浄する必要がある。この分離膜の洗浄は、膜モジュールの一次側を原水で膜分離処理時よりも大きな流速で供給して分離膜表面をフラッシングすることによってなされる（例えば、特許文献１参照）。
【０００３】
斯かるフラッシング洗浄は、分離膜表面の堆積物を高速流流体の掃流効果によって除去することができ、分離膜が汚染されることにより生じた膜間差圧等を少なからず回復させることができる有効な洗浄方法である。
【０００４】
ところが、このフラッシング洗浄においては、膜分離処理時よりも高流速にて原水を供給するため、膜濾過処理時における膜分離処理前後の流量とは異なる流量にて原水が供給及び排水されることとなり、一時的ではあるが洗浄流体としての原水に流量変動が生じる。このため、フラッシング洗浄を定期的に行う膜分離装置においては、フラッシング洗浄時での原水の一次的な流量変動を考慮した設備設計が必要となる。
【０００５】
ところで、例えば塩類を含む原水を、塩類を殆ど含まない透過水と塩類が濃縮された濃縮水とに分離する逆浸透膜処理においては、塩類が濃縮されることによって膜モジュールの一次側にスケールが生成されるため、このスケールの生成を防止するために膜モジュールへ供給される原水を塩類の溶解度が高まる低ｐＨに水質調整する必要がある。従って、対象となる原水のｐＨが高い場合には、原水のｐＨを低ｐＨ領域（例えば、ｐＨ３〜６）へと調整した後に、原水を膜モジュールに供給して膜分離処理することが行われる（例えば、特許文献２参照）。又、超純水や飲料水を製造するためには、ホウ素や炭酸イオン等を除去する必要があり、このような場合には原水のｐＨを逆に高ｐＨ域に調整する必要がある。その他、膜モジュールに供給される前の原水には、スケール防止剤、有機系又は酸化剤系のスライムコントロール剤、還元剤等の薬剤が添加される場合がある。
【０００６】
又、膜モジュールから排出される濃縮水を排水する場合には、膜モジュールに供給される原水（洗浄水）のｐＨ調整によって低ｐＨ又は高ｐＨの濃縮水が排出されることとなるため、必要に応じてこの濃縮水のｐＨ中和処理も必要となる。
【特許文献１】特開平５−０５７１５９号公報
【特許文献２】特開２００２−０１８４３７号公報
【発明の開示】
【発明が解決しようとする課題】
【０００７】
而して、フラッシング洗浄を実施しない膜分離処理時には、給水量と排水量は常時ほぼ一定となるため、膜分離処理前段での原水の水質調整設備と膜分離処理後段での濃縮水の中和処理設備の規模は、膜分離処理時のほぼ一定の流量に対応するもので良い。
【０００８】
ところが、フラッシング洗浄時には、膜分離処理時を上回る流量にて給水と排水が行われるため、水質調整設備と中和処理設備には一時的なフラッシング洗浄時の流量変動に対応することができる程度の大きな設備が必要となり、設備費の高騰を招くという問題があった。
【０００９】
又、水質調整された原水をフラッシング洗浄に用い、洗浄に供された洗浄廃水を中和する従来の方法では、多量の水質調整剤や中和剤が必要となり、コストアップを免れないという問題もあった。
【００１０】
従って、本発明は、水質調整設備の小型化と水質調整剤の節減を図ることができる膜分離装置及びその洗浄方法を提供することを目的とする。
【００１１】
又、本発明は、上記目的に加えて中和処理設備の小型化と中和剤の節減を図ることができる膜分離装置及びその洗浄方法を提供することを目的とする。
【課題を解決するための手段】
【００１２】
上記目的を達成するため、請求項１記載の発明は、原水の水質を調整する水質調整手段と、該水質調整手段によって水質が調整された原水を一次側に供給して二次側から透過水として取り出すとともに濃縮水を一次側から排出する膜モジュールを備えた膜分離装置の洗浄方法であって、前記膜モジュールの一次側を原水によってフラッシングして該膜モジュールの分離膜を洗浄する洗浄方法において、
洗浄時には原水を前記水質調整手段をバイパスして前記膜モジュールの一次側に供給することを特徴とする。
【００１３】
請求項２記載の発明は、請求項１記載の発明において、前記膜モジュールの洗浄に供された洗浄廃水を、膜モジュールの後段に設けられた排水中和手段をバイパスして排水することを特徴とする。
【００１４】
請求項３記載の発明は、請求項１又は２記載の発明において、前記水質調整手段を前後段に２つ設け、前段の水質調整手段によって水質が調整された原水を後段の水質調整手段をバイパスして前記膜モジュールの一次側に供給することを特徴とする。
【００１５】
請求項４記載の発明は、水質の水質を調整する水質調整手段と、該水質調整手段から原水を一次側に供給して二次側から透過水として取り出すとともに濃縮水を一次側から排出する膜モジュールと、前記膜モジュールの一次側を原水によってフラッシングして該膜モジュールの分離膜を洗浄する洗浄手段を備えた膜分離装置において、
前記洗浄手段に、洗浄時に原水を前記水質調整手段をバイパスして前記膜モジュールの一次側に供給するバイパスラインを設けたことを特徴とする。
【００１６】
請求項５記載の発明は、請求項４記載の発明において、前記膜モジュールの一次側から排出される濃縮水を中和して貯留する排水中和槽を備え、前記洗浄手段に、前記膜モジュールの洗浄に供された洗浄廃水を前記排水中和槽をバイパスして排水するバイパスラインを設けたことを特徴とする。
【００１７】
請求項６記載の発明は、請求項４又は５記載の発明において、前記水質調整手段を前後段に２つ設け、前記洗浄手段に、前段の水質調整手段からの原水を洗浄時に後段の水質調整手段をバイパスして前記膜モジュールの一次側に供給するバイパスラインを設けたことを特徴とする。
【発明の効果】
【００１８】
請求項１及び４記載の発明によれば、洗浄時には原水をバイパスラインによって水質調整手段（水質調整槽）をバイパスして膜モジュールの一次側に供給するようにしたため、水質調整手段（水質調整槽）に洗浄時の一時的な流量変化の影響が及ぶことがなく、該水質調整手段（水質調整槽）を膜分離処理時の流量に対応した必要最小限の設備とすることができるとともに、洗浄時には水質調整剤の添加が不要となるために該水質調整剤の節減を図ることができる。
【００１９】
例えば、膜分離処理の前段のｐＨ調整は、膜分離処理によって原水の塩類が濃縮されることにより発生するスケール障害を避けるために行われるものであり、濃縮操作が行われない洗浄時においては、ｐＨ調整しない原水を膜モジュールに供給してもスケール障害は発生しない。従って、洗浄時には原水を水質調整することなく、これを水質調整手段をバイパスして膜モジュールの一次側に供給して分離膜の洗浄に供することができ、これによって前記効果を得ることができる。
【００２０】
請求項２及び５記載の発明によれば、膜モジュールの洗浄に供された洗浄廃水を、膜モジュールの後段に設けられた排水中和手段（排水中和槽）をバイパスして排水するようにしたため、排水中和手段（排水中和槽）に洗浄時の一時的な流量変化の影響が及ぶことがなく、該排水中和手段（排水中和槽）を膜分離処理時の流量に対応した必要最小限の設備とすることができるとともに、洗浄時には中和剤の添加が不要となるために該中和剤の節減を図ることができる。
【００２１】
即ち、膜モジュールの洗浄に供された洗浄廃水は元々水質調整されていないため、これを中和処理する必要がなく、この洗浄廃水を排水中和手段（排水中和槽）をバイパスして排水することによって前記効果を得ることができる。
【００２２】
ところで、原水の流量（給水量）が小さい場合（洗浄に必要な量の原水を膜モジュールに流すことができない場合）、或は分離膜を劣化させる成分が原水に含まれているような場合には、洗浄時にこの原水を洗浄水としてそのまま膜モジュールに流すことができない。
【００２３】
このような場合、請求項３及び６記載の発明によれば、水質調整手段を前後段に２つ設け、前段の水質調整手段（水質調整槽）によって水質が調整された原水を後段の水質調整手段（水質調整槽）をバイパスして膜モジュールの一次側に供給するようにしたため、前段の水質調整手段（水質調整槽）によって膜モジュールの洗浄に必要な原水量（給水量）を確保することができるとともに、前段の水質調整手段（水質調整槽）による原水の水質調整によって分離膜の劣化を防ぐことができる。
【発明を実施するための最良の形態】
【００２４】
以下に本発明の実施の形態を添付図面に基づいて説明する。
【００２５】
＜実施の形態１＞
図１は本発明の実施の形態１に係る膜分離装置の基本構成図であり、同図において、１は水質調整手段を構成する水質調整槽であって、その上部には原水供給管２が接続され、下部からは洗浄水供給管３が延出しており、原水供給管２には開閉弁Ｖ１が設けられている。そして、洗浄水供給管３は膜モジュール４に接続されており、その途中にはポンプ５が設けられている。
【００２６】
上記膜モジュール４は、内部を分離膜６によって一次側の給水室Ｓ１と二次側の透過水室Ｓ２に区画して成り、給水室Ｓ１の入口側には前記洗浄水供給管３が接続され、出口側からは濃縮水配管７が延出している。そして、この濃縮水配管７の途中には開閉弁Ｖ２が設けられている。又、透過水室Ｓ２からは透過水配管８が延出しており、該透過水配管８には開閉弁Ｖ３が設けられている。
【００２７】
ここで、膜モジュール４の形式は特に限定されず、中空糸、管状、平膜、スパイラル形式の何れも任意に使用することができる。又、分離膜６の種類も特に限定されず、ＭＦ膜（精密濾過膜）、ＵＦ膜（限外濾過膜）、ＮＦ膜（ナノ濾過膜）、ＲＯ膜（逆浸透膜）等の任意のものを使用することができるが、フラッシング洗浄が有効なＮＦ膜やＲＯ膜が特に好適に用いられる。
【００２８】
更に、フラッシング洗浄の方法にも特に制限はなく、原水のみでフラッシングする方法、洗浄気体を併用し、原水と洗浄気体との気液混相流にてフラッシングする方法の何れも用いることができる。尚、スパイラル形式の膜モジュールを気液混相流にてフラッシングする場合には、洗浄気体が均一にモジュール内を流通するよう、膜モジュールは洗浄流体の流通方向が上下となるように配置することが好ましい。
【００２９】
上記膜モジュール４の後段には、排水中和手段を構成する排水中和槽９が配置されており、この排水中和槽９の入口側には前記濃縮水配管７が接続され、出口側からは排水管１０が延出している。
【００３０】
ところで、本実施の形態に係る膜分離装置には、膜モジュール４の一次側に原水をフラッシングして該膜モジュール４の分離膜６を洗浄する洗浄手段が設けられ、この洗浄手段によって分離膜６が定期的に又は随時に洗浄されるが、この洗浄手段には、洗浄時に原水を水質調整槽１をバイパスして膜モジュール４の一次側に供給するバイパスライン１１と、膜モジュール４の洗浄に供された洗浄廃水を排水中和槽９をバイパスして排水管１０へと排水するバイパスライン１２が設けられている。
【００３１】
即ち、一方のバイパスライン１１は、原水供給管２の開閉弁Ｖ１の上流側から分岐し、水質調整槽１をバイパスして洗浄水供給管３のポンプ５の上流側に接続されており、その途中には開閉弁Ｖ４が設けられている。又、他方のバイパスライン１２は、濃縮水供給管７の開閉弁Ｖ２の上流側から分岐し、排水中和槽９をバイパスして排水管１０に接続されており、その途中には開閉弁Ｖ５が設けられている。
【００３２】
次に、以上の構成を有する膜分離装置の膜分離処理を図２に基づいて説明する。
【００３３】
膜分離処理時には、図２に示すように、開閉弁Ｖ１，Ｖ２，Ｖ３を開、開閉弁Ｖ４，Ｖ５を閉とした上で、ポンプ５を駆動する。尚、図２に示す開閉弁Ｖ１〜Ｖ５の白抜き表示は「開」を示し、黒塗り表示は「閉」を示す。
【００３４】
すると、原水が原水供給管２から水質調整槽１に導入されるが、水質調整槽１に導入された原水にはｐＨ調整剤等の水質調整剤が添加され、水質調整槽１内の原水の水質（ｐＨ等）が調整される。この原水の水質調整は、膜モジュール４でのスケール障害の発生を防ぐために行われるものであって、例えば原水のｐＨが低ｐＨ領域（例えば、ｐＨ３〜６）へと調整される。
【００３５】
而して、水質調整槽１において水質が調整された原水は、図２に矢印にて示すように、洗浄水供給管３を膜モジュール４へと流れて該膜モジュール４の給水室Ｓ１へと導入される。すると、膜モジュール４においては、給水室Ｓ１へと導入された原水の一部が分離膜６を透過して塩類等が除去され、透過水として透過水室Ｓ２から透過水配管８を経て取り出される。
【００３６】
他方、分離膜６を透過しないで給水室Ｓ１へと残留する濃縮水は、図２に矢印にて示すように、濃縮水配管７から排水中和槽９へと導入され、この排水中和槽９において中和剤が添加されて中和された後、排水中和槽９から排水管１０を通って排出される。尚、例えば膜モジュール４に供給される原水を低ｐＨ領域に調整した場合には、膜モジュール４からは低ｐＨの濃縮水が排出されることとなるため、この濃縮水のｐＨ中和処理が必要となる。
【００３７】
ところで、上記膜分離処理が継続的に行われると、原水中に含まれる懸濁成分によって分離膜６が汚染され、その分離性能が低下したり、圧力損失の増加を招くため、分離膜６を定期的に又は随時に洗浄する必要がある。
【００３８】
以下、本発明に係る洗浄方法を図３に基づいて説明する。尚、図３は膜分離装置の洗浄方法を示す基本構成図であって、本図においても、図２と同様に開閉弁Ｖ１〜Ｖ５の白抜き表示は「開」を示し、黒塗り表示は「閉」を示す。
【００３９】
図３に示すように、洗浄時には、開閉弁Ｖ４，Ｖ５を開、開閉弁Ｖ１，Ｖ２，Ｖ３を閉とした上で、ポンプ５を駆動する。すると、原水供給管２から供給される原水は、図３に矢印にて示すように、水質調整槽１をバイパスしてバイパスライン１１を流れ、洗浄水供給管３から膜モジュール４へと導入される。このとき、開閉弁Ｖ３は閉じているため、膜モジュール４に導入された原水（洗浄水）は、分離膜６を透過しないでそのまま膜モジュール４内を流れ、その過程で分離膜６に付着した懸濁物質等を除去して分離膜６を洗浄した後、膜モジュール４から濃縮水配管７へと流れる。
【００４０】
そして、分離膜６の洗浄に供されて膜モジュール４から濃縮水配管７へと排出される洗浄廃水は、図３に矢印にて示すように、濃縮水配管７からバイパスライン１２、排水管１０へと流れ、排水中和槽９をバイパスして排水管１０から排出される。
【００４１】
以上のように、本発明に係る洗浄方法においては、洗浄時には原水をバイパスライン１１によって水質調整槽１をバイパスして膜モジュール４の一次側に供給するようにしたため、水質調整槽１に洗浄時の一時的な流量変化の影響が及ぶことがなく、該水質調整槽１を膜分離処理時の流量に対応した必要最小限の設備とすることができるとともに、洗浄時には水質調整剤の添加が不要となるために該水質調整剤の節減を図ることができる。
【００４２】
例えば、膜分離処理の前段のｐＨ調整は、膜分離処理によって原水の塩類が濃縮されることにより発生するスケール障害を避けるために行われるものであり、濃縮操作が行われない洗浄時においては、ｐＨ調整しない原水を膜モジュール４に供給してもスケール障害は発生しない。従って、洗浄時には原水を水質調整することなく、これを水質調整槽１をバイパスして膜モジュール４の一次側に供給して分離膜６の洗浄に供することができ、これによって前記効果を得ることができる。
【００４３】
又、発明に係る洗浄方法よれば、膜モジュール４の洗浄に供された原水（洗浄廃水）を、膜モジュール４の後段に設けられた排水中和槽９をバイパスして排水するようにしたため、排水中和槽９にも洗浄時の一時的な流量変化の影響が及ぶことがなく、該排水中和槽９を膜分離処理時の流量に対応した必要最小限の設備とすることができるとともに、洗浄時には中和剤の添加が不要となるために該中和剤の節減を図ることができる。
【００４４】
即ち、膜モジュール４の洗浄に供された原水（洗浄廃水）は元々水質調整されていないため、これを中和処理する必要がなく、この洗浄廃水を排水中和槽９をバイパスして排水することによって前記効果を得ることができる。
【００４５】
［比較例］
ここで、本発明の比較例として、図４に従来の膜分離装置の洗浄方法を示す。尚、図４は従来の膜分離装置の基本構成図であり、本図においては、図１〜図３に示したものと同一要素には同一符号を付しており、又、図２と同様に開閉弁の白抜き表示は「開」を示し、黒塗り表示は「閉」を示す。
【００４６】
図４に示す従来の膜分離装置には、図１〜図３に示したバイパスライン１１，１２が設けられておらず、従って、洗浄時には、原水は水質調整槽１において水質調整され、又、膜モジュール４の洗浄に供された原水（洗浄廃水）は、排水中和槽９において中和処理された後に排出されていた。
【００４７】
このため、従来の膜分離装置の洗浄に際しては、洗浄時の一時的な大流量を処理するために水質調整槽１と排水中和槽９が大型化するとともに、水質調整剤及び中和剤も多量に必要となっていた。
【００４８】
これに対して、本発明によれば、洗浄時には原水を水質調整槽１及び排水中和槽９をバイパスして流すようにしたため、前述のように水質調整槽１及び排水中和槽９の小型化と水質調整剤及び中和剤の節減を図ることができるという効果が得られる。
【００４９】
＜実施の形態２＞
次に、本発明の実施の形態２を図５に基づいて説明する。
【００５０】
図５は本実施の形態に係る膜分離装置の洗浄方法を示す基本構成図であり、本図においては、図１〜図３に示したものと同一要素には同一符号を付しており、又、図２と同様に開閉弁の白抜き表示は「開」を示し、黒塗り表示は「閉」を示す。
【００５１】
原水の流量（給水量）が小さい場合（洗浄に必要な量の原水を膜モジュール４に流すことができない場合）、或は分離膜６を劣化させる成分が原水に含まれているような場合には、洗浄時にこの原水をそのまま膜モジュール４に流すことができない。
【００５２】
上記不具合を解消するため、本実施の形態では、図５に示すように、２つの水質調整槽１Ａ，１Ｂを前後２段設け、両水質調整槽１Ａ，１Ｂを連結配管１３で接続するとともに、連結配管１３に開閉弁Ｖ６を設けている。又、前段の水質調整槽１Ａの下部から導出するバイパスライン１１を洗浄水供給管３のポンプ５の上流に接続し、その途中に開閉弁Ｖ４を設けている。その他の構成は前記実施の形態１のそれと同じであるため、これについての再度の説明は省略する。
【００５３】
而して、洗浄時には、開閉弁Ｖ４，Ｖ５を開き、開閉弁Ｖ１〜Ｖ３及びＶ６を閉じた上で、ポンプ５を駆動する。すると、原水が原水供給管２から前段の水質調整槽１Ａに導入されるが、該水質調整槽１Ａに導入された原水には第１の水質調整剤が添加され、水質調整槽１Ａ内の原水の水質が調整される。尚、分離膜６としてＰＡ（ポリアミド）膜を用いる場合、このＰＡ膜は酸化剤により劣化するため、原水に次亜塩素酸ナトリウム等の酸化剤が含まれている場合には、前段の水質調整槽１Ａにおいて第１の水質調整剤として重亜硫酸ナトリウム等の還元剤が原水に添加される。又、膜分離処理時には、前段の水質調整槽１Ａにおいて水質調整された原水は、連結配管１３から後段の水質調整槽１Ｂへと導入され、この水質調整槽１ＢにおいてｐＨ調整剤等の第２の水質調整剤が添加される。
【００５４】
上述のように前段の水質調整槽１Ａにおいて水質調整された原水は、図５に矢印にて示すように、後段の水質調整槽１Ｂをバイパスしてバイパスライン１１を流れ、洗浄水供給管３から膜モジュール４へと導入されて分離膜６の洗浄に供された後、洗浄廃水として膜モジュール４から濃縮水配管７へと流れる。
【００５５】
そして、濃縮水配管７へと排出された洗浄廃水は、図５に矢印にて示すように、濃縮水配管７からバイパスライン１２、排水管１０へと流れ、排水中和槽９をバイパスして排水管１０から排出される。
【００５６】
以上のように、本実施の形態においては、水質調整手段としての水質調整槽１Ａ，１Ｂを前後２段に設け、前段の水質調整槽１Ａによって水質が調整された原水を後段の水質調整槽１Ｂをバイパスして膜モジュール４の一次側に供給するようにしたため、前段の水質調整槽１Ａによって膜モジュール４の洗浄に必要な原水量（洗浄水量）を確保することができるとともに、前段の水質調整槽１Ａによる原水の水質調整によって膜モジュール４の分離膜６の劣化を防ぐことができる。
【００５７】
その他、本実施の形態においても、前記実施の形態１と同様の効果が得られる。
【図面の簡単な説明】
【００５８】
【図１】本発明の実施の形態１に係る膜分離装置の基本構成図である。
【図２】本発明の実施の形態１に係る膜分離装置の膜分離処理を示す基本構成図である。
【図３】本発明の実施の形態１に係る膜分離装置の洗浄方法を示す基本構成図である。
【図４】本発明の比較例に係る膜分離装置の洗浄方法を示す基本構成図である。
【図５】本発明の実施の形態２に係る膜分離装置の洗浄方法を示す基本構成図である。
【符号の説明】
【００５９】
１，１Ａ，１Ｂ  水質調整槽（水質調整手段）
２              原水供給管
３              洗浄水供給管
４              膜モジュール
５              ポンプ
６              分離膜
７              濃縮水配管
８              透過水配管
９              廃水中和槽
１０            排水管
１１，１２      バイパスライン
１３            連結配管
Ｓ１            給水室
Ｓ２            透過水室
Ｖ１〜Ｖ６      開閉弁
【図１】
2007237115.tif 000003
【図２】
2007237115.tif 000004
【図３】
2007237115.tif 000005
【図４】
2007237115.tif 000006
【図５】
2007237115.tif 000007